(57)【要約】      （修正有）【課題】作業区域の陽圧状態における気流を外部に放出することを防止するとともに、負圧状態を回復する煙突用石綿除去作業養生システム及び煙突用石綿除去作業の養生方法を提供する。【解決手段】煙突用石綿除去作業養生システム１０は、作業区域２２を負圧状態にする負圧除塵装置１２と、陽圧状態の作業区域２２の気流２４が外部に放出されることを防ぐ気流阻止部１４と、作業区域２２が陽圧状態になったとき作業区域２２を形成する養生シート２０が外部に向かって膨らむようにする風圧緩衝養生部１６とを備えるものである。これにより、作業区域２２が陽圧状態になってもその気流２４の風圧を緩衝でき、陽圧状態の作業区域２２の気流２４がセキュリティゾーン２６に入り外部に放出されることを防ぐことができる。また、負圧除塵装置１２により、作業区域２２の負圧状態を回復することができる。【選択図】図１
2017008687.tif 000002
【特許請求の範囲】
【請求項１】
作業区域を負圧状態にする負圧除塵装置と、陽圧状態の作業区域の気流が外部に放出されることを防ぐ気流阻止部と、作業区域が陽圧状態になったとき作業区域を形成する養生シートが外部に向かって膨らむようにする風圧緩衝養生部とを備えることを特徴とする煙突用石綿除去作業養生システム。
【請求項２】
作業区域が陽圧状態になったとき、作業区域を形成する養生シートが外部に向かって膨らむようにすることを特徴とする煙突用石綿除去作業の養生方法。
【発明の詳細な説明】
【技術分野】
【０００１】
本発明は、煙突下部の開口部から除去した断熱材を回収廃棄する作業を行う作業区域を形成する煙突用石綿除去作業養生システム及び煙突用石綿除去作業の養生方法に関するものである。
【背景技術】
【０００２】
従来、煙突の断熱材として石綿が使用されていた。近年、その石綿を除去する作業が行われている（たとえば、特許文献１）。
【先行技術文献】
【特許文献】
【０００３】
【特許文献１】実用新案登録第３１９７０６３号
【発明の概要】
【発明が解決しようとする課題】
【０００４】
特許文献１の非常時用負圧除塵装置は、除去された断熱材（石綿）が煙突を塞ぐことにより生じる煙突内の上昇気流の発生時に、煙突上部の作業区域の負圧状態を回復するものである。
【０００５】
しかし、煙突を塞いでいた断熱材が一度に落下した場合、煙突内の空気（石綿を含むもの）が一気に煙突の下部の開口部から押し出され、煙突下部の作業区域に大きな風圧で放出される。この場合、作業区域が陽圧状態になり、作業区域に配備する負圧除塵装置ではその区域を負圧状態に維持することが困難になる。
【０００６】
本発明は、上記課題を解決するもので、作業区域の陽圧状態における気流（石綿を含む空気）を外部に放出することを防止するとともに、負圧状態を回復する煙突用石綿除去作業養生システム及び煙突用石綿除去作業の養生方法を提供することを目的とするものである。
【課題を解決するための手段】
【０００７】
本発明の煙突用石綿除去作業養生システムは、作業区域を負圧状態にする負圧除塵装置と、陽圧状態の作業区域の気流が外部に放出されることを防ぐ気流阻止部と、作業区域が陽圧状態になったとき作業区域を形成する養生シートが外部に向かって膨らむようにする風圧緩衝養生部とを備えるようにしたものである。
【０００８】
本発明の煙突用石綿除去作業の養生方法は、作業区域が陽圧状態になったとき、作業区域を形成する養生シートが外部に向かって膨らむようにするようにしたものである。
【発明の効果】
【０００９】
本発明の煙突用石綿除去作業養生システム及び煙突用石綿除去作業の養生方法は、養生シートで形成される作業区域が陽圧状態になったとき養生シートが外部に向かって膨らむようにするものである。これにより、煙突を塞いでいた除去された断熱材が一度に落下し作業区域に吹き込まれる空気によって作業区域が陽圧状態になっても、その空気の風圧を緩衝できることから、陽圧状態の作業区域の気流が作業区域の開口部と床面の隙間からセキュリティゾーンに入り外部に放出されることを防ぐことができる。また、作業区域の陽圧状態は、負圧除塵装置により負圧状態を回復することができる。
【図面の簡単な説明】
【００１０】
【図１】本発明の煙突用石綿除去作業養生システム及び煙突用石綿除去作業の養生方法を表わす図である。
【発明を実施するための形態】
【００１１】
本発明は、陽圧状態の作業区域内の空気（気流）が外部に放出されることを防止するとともに、作業区域内の負圧状態を回復することを実現するものである。
【実施例】
【００１２】
本発明の煙突用石綿除去作業養生システム及び煙突用石綿除去作業の養生方法を図に基づいて説明する。
図１は、本発明の煙突用石綿除去作業養生システム及び煙突用石綿除去作業の養生方法を表わす図であり、作業区域が陽圧状態の場合を示す図である。図（ａ）は煙突用石綿除去作業養生システムの構成部の配置図、図（ｂ）は気流阻止部を表わす図である。
本発明の煙突用石綿除去作業養生システム１０は、負圧除塵装置１２と、気流阻止部１４と、風圧緩衝養生部１６とを備えるものである。図１の煙突用石綿除去作業養生システム１０は、煙突用石綿除去装置（図示せず）から噴射される高圧水によって除去された煙突１８の石綿１８ａ（断熱材）を回収する煙突１８の下部の開口部１８ｂ（除去された石綿１８ａの排出口）に他の養生シート２０とともに設けられるものであり、煙突１８の下部の開口部１８ｂは、養生シート２０及び風圧緩衝養生部１６によって形成される作業区域２２内にある。
作業区域２２内には、作業区域２２を負圧状態にする負圧除塵装置１２が配置されている。
【００１３】
気流阻止部１４は、陽圧状態の作業区域２２の気流（石綿を含む空気）が外部に放出されることを防ぐものである。気流阻止部１４は、セキュリティゾーン２６に通じる作業区域２２の開口部（線ファスナー）の下部に配置される板状の部材である。作業区域２２の開口部の下部は床面に固定されておらず、作業区域が陽圧状態になったとき、陽圧状態の作業区域２２の気流２４が作業区域２２の開口部と床面の隙間からセキュリティゾーン２６に入り外部に放出されることを防ぐ。
【００１４】
風圧緩衝養生部１６は、養生シート２０と同じ材質（ポリエチレン）の養生シートであり、養生シート２０の丈及び幅もしくは丈又は幅より長く形成したものである。
風圧緩衝養生部１６の養生シートは、作業区域２２が陽圧状態になったとき、すなわち、煙突１８の下部の開口部１８ｂから大きな風圧（気流２４）が作業区域２２内に吹き込まれたとき、養生シートが外部に向かって膨らむように形成されている（図１）。
これにより、煙突１８を塞いでいた除去された断熱材が一度に落下したときに作業区域２２に吹き込まれる気流２４により作業区域２２が陽圧状態になっても、その気流２４の風圧を緩衝できることから、陽圧状態の作業区域２２の気流２４が作業区域２２の開口部と床面の隙間からセキュリティゾーン２６に入り外部に放出されることを防ぐことができる。また、負圧除塵装置１２により、作業区域２２の負圧状態を回復することができる。
なお、図１に示す本発明は、養生シートが壁２８に面していない箇所の一部に風圧緩衝養生部１６を設けるものであるが、作業区域２２を形成する養生シートすべてが壁２８に面していない場合は、作業区域２２すべてを風圧緩衝養生部１６で形成してもよい。
【符号の説明】
【００１５】
１０  煙突用石綿除去作業養生システム
１２  負圧除塵装置
１４  気流阻止部
１６  風圧緩衝養生部
２０  養生シート
２２  作業区域
２４  気流
【図１】
2017008687.tif 000003